(57)【要約】【課題】  捻りブラシの中心軸である金属線材を製品の種類に応じた形状にして、製品の種類を変えながら多種類の製造が容易にできる捻りブラシを提供する。【解決手段】  金属線材２の先端に複数本の分岐線４からなる分岐線部分５を設け、前記分岐線部分５に複数本のブラシ素材３ａを直交するように装着して捻り込むことにより、前記分岐線部分５に前記ブラシ素材３ａを螺旋状に配列させるようにした【選択図】        図１
2007167362.tif 000002
【特許請求の範囲】
【請求項１】
金属線材の先端に複数本の分岐線からなる分岐線部分を設け、前記分岐線部分に複数本のブラシ素材を直交するように装着して捻り込むことにより、前記分岐線部分に前記ブラシ素材を螺旋状に配列させるようにしたことを特徴とする捻りブラシ。
【請求項２】
分岐線部分の分岐線は３本以上である請求項１に記載の捻りブラシ。
【発明の詳細な説明】
【技術分野】
【０００１】
本発明は、捻りブラシに関するものである。
【背景技術】
【０００２】
一般に捻りブラシは、複数本の金属線材の両端をそれぞれ挟持機構に取り付け、各金属線材間にブラシ素材を配置して、一方の挟持機構を回転駆動して金属線材を捻ることによりブラシ素材を金属線材に挟着固定して製造されている。
【０００３】
実際の作業では、作業者が多数の金属線材が入っている収納ケースの中から必要な数の金属線材を手で摘んで取り出してこれらの金属線材の各一端を回転側の挟持機構に取付けて、金属線材の途中の位置を固定しながら捻ることにより、金属線材の途中の位置までを捻り合わせて一体に束ねて取っ手を捻り成形する。その後に捻り成形されていない部分の金属線材間にブラシ素材を配置して、これらの金属線材の他端を束ねて固定側の挟持機構に取付けて、捻ることにより１本の捻りブラシを製造している。
【０００４】
この種の捻りブラシとして金属線材を多数本、例えば、３本以上使用するものとして、各金属線材の間にブラシ素材を井桁状に配列して設け、金属線材に捻りを加えて成形される捻りブラシが知られている（特許文献１参照）。
【特許文献１】特開平７−２４６１１４号
【発明の開示】
【発明が解決しようとする課題】
【０００５】
捻りブラシは、製品の種類に応じて、その中心軸である金属線材の数が決まっているため、作業者は、１本の捻りブラシを製造する度に、多数の金属線材が入っている収納ケースの中から必要な数の金属線材を手で摘んで取り出して挟持機構に取付ける作業を繰り返すことになる。この作業において、収納ケースの中から正確な数の金属線材を取り出して、挟持機構に取付けることは難しく、作業者は金属線材を多めに取り出して、余分な金属線材を収納ケースに戻している。また、客先の要望により捻りブラシの種類を変える場合には、使用する金属線材の数を変更しなければならないが、金属線材の数を間違えないように挟持機構に取付けなければならないので、多種類の捻りブラシを少量づつ製造することは、煩雑な作業になってしまうという問題がある。
【０００６】
本発明は、上記した不都合を解決するために提案されたもので、捻りブラシの中心軸である金属線材を製品の種類に応じた形状にして、製品の種類を変えながら多種類の製造が容易にできる捻りブラシを提供することを目的とする。
【課題を解決するための手段】
【０００７】
前記目的を達成させるため請求項１記載の発明は、金属線材の先端に複数本の分岐線からなる分岐線部分を設け、前記分岐線部分に複数本のブラシ素材を直交するように装着して捻り込むことにより、前記分岐線部分に前記ブラシ素材を螺旋状に配列させるようにしたことを特徴とする捻りブラシである。
【０００８】
また、請求項２記載の発明は、分岐線部分の分岐線は３本以上である請求項１に記載の捻りブラシである。
【発明の効果】
【０００９】
本発明の捻りブラシは、その中心軸である金属線材を先端の分岐線の数別に多種類用意しておくことで、捻りブラシの製造途中で製品の種類を変えたい場合に、製品の種類に対応した分岐線の数の金属線材を選択することで、製品の種類を変更できるから多種類の捻りブラシの製造が容易にできる。また、分岐線部分の分岐線は３本以上であるので、複数本のブラシ素材を配置するための分岐線の本数や組合せを適宜に選択することで種々の形態に捻りブラシを成形できるものである。
【発明を実施するための最良の形態】
【００１０】
以下に本発明の実施の形態を図面に基いて説明する。以下の実施例で説明するブラシ素材としては、合成樹脂線、金属線、生分解線、植物繊維、動物繊維等の何れか１種または２種以上を混合して用いることができる。そして、ブラシ素材に用いる合成樹脂線としては、ナイロン、塩ビ、ポリプロピレン、生分解性プラスティック線等を例示することができ、また、ブラシ素材に用いる金属線としては、ステンレス、ピアノ線、鉄線、銅線等が、植物繊維としては、パキン、パーム等が、動物繊維としては、豚素材、馬素材、狸素材等が、夫々使用される。
【００１１】
そしてこれらのブラシ素材には、研磨砥粒を混入させたものも使用することができる。研磨砥粒としては、例えばステンレスパウダー、金パウダー、チタンパウダー等の金属製パウダー、ダイヤモンドパウダー、セラミックスパウダー、無機質パウダー等であり、これらのいずれか１種または２種以上を合成樹脂、金属のブラシ素材に混入させるものである。
【実施例１】
【００１２】
図１（ａ）は本発明の実施例１に係る捻りブラシの斜視図、図１（ｂ）は（ａ）の捻り成形する前の金属線材とブラシ素材の斜視図、図１（ｃ）は金属線材の斜視図、図１（ｄ）は、金属線材とブラシ素材のＡＡ線での断面図である。
【００１３】
図１（ａ）〜（ｄ）において、捻りブラシ１は、金属線材２とブラシ素材３ａとから構成されている。金属線材２は、根元から途中の位置ａ１までの部分は１本の棒状体で操作用の取っ手２ａとなっており、途中の位置ａ１から細径の３本の分岐線４が延在して、先端に３本の分岐線４からなる分岐線部分５を設けている。
【００１４】
以下に説明する各捻りブラシは、各分岐線の開放側の端部を固定し、操作用の取っ手となる部分を回転させて、各分岐線を捻り成形して製造されたものである。
【００１５】
複数本のブラシ素材３ａは、分岐線部分５に直交するように装着されるが、本実施例１では、同一種類のブラシ素材３ａで捻りブラシ１を形成している。図１（ｄ）に示すように捻りブラシ１は、２本の分岐線４と、１本の分岐線４間に、複数本のブラシ素材３ａを直交するように挿し込んで、分岐線部分５に複数本のブラシ素材３ａを直交するように装着して捻り込むことにより、分岐線部分５にブラシ素材３ａを螺旋状に配列させるようにして成形している。
【実施例２】
【００１６】
図２（ａ）は、前記金属線材２を使用した本発明の実施例２に係る捻りブラシの斜視図、図２（ｂ）は金属線材の各分岐線とブラシ素材との配置関係を示す概略図である。
【００１７】
図２（ａ），（ｂ）において、捻りブラシ１１は、金属線材２と、２種類の第１，第２ブラシ素材３ａ，３ｂから構成されている。例えば、第１ブラシ素材３ａは合成樹脂線からなるものであり、また、第２ブラシ素材３ｂは第１ブラシ素材３ａに金属製パウダーｍを混入させたものである。
【００１８】
捻りブラシ１１は、図２（ｂ）に示すように、２本の分岐線４と１本の分岐線４間に、複数本の第１ブラシ素材３ａを直交するように挿し込んで並べ、次に、前記２本の分岐線４と１本の分岐線４との組合せを変更して、再び、２本の分岐線４と１本の分岐線４間に、複数本の第２ブラシ素材３ｂを直交するように挿し込んで並べることを交互に繰り返す。こうして、分岐線部分５に２種類のブラシ素材３ａ，３ｂを複数本単位で交互に直交するように装着して捻り込むことにより、分岐線部分５に２種類のブラシ素材３ａ，３ｂを螺旋状に配列させるようにして捻りブラシ１１を成形している。
【実施例３】
【００１９】
図３（ａ）は、前記金属線材２を使用した本発明の実施例２に係る捻りブラシの斜視図、図３（ｂ）は金属線材の各分岐線とブラシ素材との配置関係を示す概略図である。
【００２０】
図３（ａ），（ｂ）において、捻りブラシ２１は、金属線材２と、３種類の第１，第２，第３ブラシ素材３ａ，３ｂ，３ｃとから構成されている。例えば、第１ブラシ素材３ａは合成樹脂線からなるものであり、また、第２ブラシ素材３ｂは第１ブラシ素材３ａの合成樹脂線に金属製パウダーｍを混入させたものであり、また、第３ブラシ素材３ｃは第１ブラシ素材３ａの合成樹脂線にダイヤモンドパウダーｎを混入させたものである。
【００２１】
捻りブラシ２１は、図３（ｂ）に示すように、２本の分岐線４と、１本の分岐線４間に、複数本の第１ブラシ素材３ａを直交するように挿し込んで並べ、次に、前記２本の分岐線４と１本の分岐線４との組合せを変更し、２本の分岐線４と１本の分岐線４間に、複数本の第２ブラシ素材３ｂを直交するように挿し込んで並べ、さらに、前記２本の分岐線４と１本の分岐線４の組合せを前記の２つの組合せとは別の組合せに変更し、２本の分岐線４と１本の分岐線４間に、複数本の第３ブラシ素材３ｃを直交するように挿し込んで並べる配置関係を順番に繰り返す。こうして、分岐線部分５に３種類のブラシ素材３ａ，３ｂ，３ｃを直交するように複数本単位で順番に繰り返して並べて装着して捻り込むことにより、分岐線部分５に３種類のブラシ素材３ａ，３ｂ，３ｃを螺旋状に配列させるようにして捻りブラシ２１を成形している。
【実施例４】
【００２２】
図４（ａ）は本発明の実施例４に係る捻りブラシの斜視図、図４（ｂ）は（ａ）の捻り成形する前の金属線材とブラシ素材の斜視図、図４（ｃ）は金属線材の斜視図、図４（ｄ）は、金属線材とブラシ素材のＢＢ線での配置関係を示す概略図、（ｅ）は、金属線材とブラシ素材との配置関係を示す概略図である。
【００２３】
図４（ａ）〜（ｄ）において、捻りブラシ３１は、金属線材１２とブラシ素材３ａとから構成されている。金属線材１２は、根元から途中の位置ａ２までの部分は１本の棒状体で操作用の取っ手１２ａとなっており、途中の位置ａ２から細径の４本の分岐線１４が延在して、先端に４本の分岐線１４からなる分岐線部分１５を設けている。
【００２４】
複数本のブラシ素材３ａは、分岐線部分１５に直交するように装着されるが、本実施例４では、同一種類のブラシ素材３ａで捻りブラシ３１を構成している。
【００２５】
図４（ｄ）に示すように捻りブラシ３１は、２本の分岐線１４と、各１本の分岐線１４間のそれぞれに、複数本のブラシ素材３ａを直交するように挿し込んで、分岐線部分１５に複数本のブラシ素材３ａを直交するように平行な二段の位置に装着して捻り込むことにより、分岐線部分１５に上下二段でブラシ素材３ａを螺旋状に配列させるようにして成形している。
【００２６】
また、捻りブラシ３１は、捻り成形の形態を異ならせて形成することもできる。この場合は、図４（ｅ）に示すように２本の分岐線１４の２組を向い合わせた各２本の分岐線１４間に、複数本のブラシ素材３ａを直交するように挿し込んで、分岐線部分１５に複数本のブラシ素材３ａを直交するように装着して捻り込むことにより、分岐線部分１５にブラシ素材３ａを螺旋状に配列させるようにして成形することができる。
【実施例５】
【００２７】
図５（ａ）は前記金属線材１２を使用した本発明の実施例５に係る捻りブラシの斜視図、図５（ｂ）は金属線材１２の各分岐線１４と２種類の第１，第４ブラシ素材３ａ，３ｄとの配置関係を示す概略図である。
【００２８】
図５（ａ），（ｂ）において、捻りブラシ４１は、金属線材１２と、２種類の第１，第４ブラシ素材３ａ，３ｄとから構成されている。例えば、第１ブラシ素材３ａは合成樹脂線からなるものであり、また、第４ブラシ素材３ｄは第１ブラシ素材３ａの合成樹脂線に金属製パウダーｍおよびダイヤモンドパウダーｎを混入させたものである。
【００２９】
この捻りブラシ４１は、図５（ｂ）に示すように、２本の分岐線１４と、各１本の分岐線１４間のそれぞれに、複数本の第１ブラシ素材３ａを直交するように挿し込んで分岐線部分１５に複数本のブラシ素材３ａを直交するように平行な二段の位置に装着し、次に、前記２本の分岐線１４と前記各１本の分岐線４との組合せを変更し、再び、２本の分岐線１４と各１本の分岐線１４間に、複数本の第４ブラシ素材３ｄを直交するように挿し込んで分岐線部分１５に複数本のブラシ素材３ｄを直交するように平行な二段の位置に装着して、分岐線部分１５に２種類の第１，第４ブラシ素材３ａ，３ｄを井桁状に装着して捻り込むことにより、分岐線部分１５に２種類の第１，第４ブラシ素材３ａ，３ｄを螺旋状に配列させるようにして成形することができる。
【実施例６】
【００３０】
図６（ａ）は前記金属線材１２を使用した本発明の実施例６に係る捻りブラシの斜視図、図６（ｂ）は金属線材１２の各分岐線１４とブラシ素材３ａとの配置関係を示す概略図である。
【００３１】
図６（ａ），（ｂ）において、捻りブラシ５１は、金属線材１２とブラシ素材３ａとから構成されている。この捻りブラシ５１は、図６（ｂ）に示すように、各２本の分岐線１４間に、複数本のブラシ素材３ａを直交するように挿し込んで装着する。このとき分岐線１４の長さに比べて複数本のブラシ素材３ａを短く装着し、装着したブラシ素材３ａを分岐線１４の根元の分岐点ａ２と、分岐点ａ２から所定長さ離れた分岐線１４の途中の位置ｐ１との間で挟持するようにして、分岐線１４の途中の位置ｐ１を固定しながら捻ることにより、位置ｐ１に捻り部１６を成形するとともに、分岐線１４の根元の分岐点ａ２と分岐点ａ２から所定長さ離れた分岐線１４の途中の位置ｐ１との間に短軸の捻りブラシ５１ａを成形する。
【００３２】
次に、捻り部１６の位置ｐ１と、この位置ｐ１から所定長さ離れた分岐線１４の途中の位置ｐ２との間において、１束にする２本の分岐線１４の組合せを変更して、変更後の２束の分岐線１４間に、複数本のブラシ素材３ａを直交するように挿し込んで装着し、装着したブラシ素材３ａを捻り部１６の位置ｐ１と、この位置ｐ１から所定長さ離れた分岐線１４の途中の位置ｐ２との間で挟持するようにして、分岐線１４の途中の位置ｐ２を固定しながら捻ることにより、位置ｐ２に捻り部１６を成形するとともに、捻り部１６の位置ｐ１と、この位置ｐ１から所定長さ離れた分岐線１４の途中の位置ｐ２との間に短軸の捻りブラシ５１ａを成形する。
【００３３】
そして、成形された捻り部１６の位置ｐ２と、この位置ｐ２から所定長さ離れた分岐線１４の先端の位置ｐ３において、１束にする２本の分岐線１４の組合せを変更して、再び、変更後の２束の分岐線１４間に、複数本のブラシ素材３ａを直交するように挿し込んで装着し、装着したブラシ素材３ａを捻り部１６の位置ｐ２と、この位置ｐ２から所定長さ離れた分岐線１４の先端の位置ｐ３との間で挟持するようにして、分岐線１４を捻ることにより、さらに、分岐線１４の先端側に短軸の捻りブラシ５１ａを成形する。こうして、複数の短軸の捻りブラシ５１ａを間隔を空けて連続配置させてなる捻りブラシ５１を形成することができる。
【実施例７】
【００３４】
図７は金属線材１２を使用した本発明の実施例７に係る捻りブラシの斜視図である。捻りブラシ６１は、金属線材１２とブラシ素材３ａおよびブラシ素材３ａより長いブラシ素材３ｅとから構成されている。この捻りブラシ６１は、実施例６と同様に各２本の分岐線１４間に、複数本のブラシ素材３ｅを直交するように挿し込んで装着する。このとき分岐線１４の長さに比べて複数本のブラシ素材３ｅを短く装着し、装着したブラシ素材３ａを分岐線１４の根元の分岐点ａ２と、分岐線１４の途中の位置ｐ１との間で挟持するようにして、分岐線部分１５を捻ることにより、位置ｐ１に捻り部１６を成形するとともに、分岐線１４の根元の分岐点ａ２と分岐点ａ２から所定長さ離れた分岐線１４の途中の位置ｐ１との間に短軸の捻りブラシ６１ａを成形する。この場合、分岐線１４の途中の位置ｐ１は、分岐点ａ２から離れているが、先端の位置Ｐ２よりも根元の分岐点ａ２に近接した位置にする。
【００３５】
次に、成形された捻り部１６の位置ｐ１と、この位置ｐ１から所定長さ離れた分岐線１４の先端の位置ｐ２において、各２本の分岐線１４の組合せを変更して、変更後の各２本の分岐線１４間に、複数本のブラシ素材３ａを直交するように挿し込んで装着する。そして、複数本のブラシ素材３ａを挟持する分岐線１４の先端ｐ２を固定しながら捻ることにより、さらに、分岐線１４の先端側に長軸の捻りブラシ６１ｂを成形する。こうして、複数本の捻りブラシ６１ａ，６１ｂをブラシ素材や、その軸の長さを異ならせた状態で、間隔を空けて連続配置させてなる捻りブラシ６１を形成することができる。
【００３６】
図８（ａ）、図９（ａ）はそれぞれ４本の分岐線１４の中心に軸となる分岐線１４ａを設けた金属線材の斜視図である。また、図８（ｂ），（ｃ）、および、図９（ｂ），（ｃ）は金属線材の各分岐線とブラシ素材との配置関係を示す概略図である。
【００３７】
以下に図８（ａ）、図９（ａ）を参照して金属線材２２を説明するが、図８（ａ）、図９（ａ）の金属線材２２は軸となる分岐線１４ａの本数が、図８（ａ）の金属線材２２の分岐線１４ａが１本であるのに対して、図９（ａ）の金属線材２２の分岐線１４ａは２本である点が相違しているがその他の構成は同じであるので、両者で説明の異なる部分については、図９（ａ）の金属線材２２の説明をかっこでくくり、図８（ａ）に示した金属線材２２の説明が、図９（ａ）の金属線材２２の説明を兼ねるものとする。
【００３８】
図８（ａ）、図９（ａ）において、金属線材２２は、根元から途中の位置ａ３までの部分は１本の棒状体で操作用の取っ手２２ａとなっており、途中の位置ａ３から細径の５本（または６本）分岐線１４，１４ａが延在して、中心に軸となる細径の金属線からなる分岐線１４ａを１本（または２本）設け、その周りを囲んで分岐線１４ａより径の太い金属線からなる４本の分岐線１４を設けている。
【００３９】
図８（ａ）、図９（ａ）に示した各金属線材２２は、実施例４に示したような捻りブラシ３１を成形することができる。例えば、２本の分岐線１４および軸となる分岐線１４ａの組合わせによる複数本の分岐線と、各１本の分岐線１４との間の２ケ所に、複数本のブラシ素材３ａを直交するように挿し込んで、図８（ｂ）（または図９（ｂ））に示すように軸となる分岐線１４ａを中心にして、分岐線部分１５に複数本のブラシ素材３ａを直交するように平行な二段の位置に装着して捻り込むことにより、分岐線１４ａを軸として各分岐線１４を巻き付かせ、分岐線部分１５にブラシ素材３ａを螺旋状に配列させて捻りブラシ３１を形成することができる。
【００４０】
また、  金属線材２２は、実施例５に示したような捻りブラシ４１を成形することができる。例えば、２本の分岐線１４および軸となる分岐線１４ａの組合わせによる複数本の分岐線と、各１本の分岐線１４との間の２ケ所に、複数本のブラシ素材３を直交するように挿し込んで、前記２本の分岐線１４および軸となる分岐線１４ａの組合わせを変更し、変更後の２本の分岐線１４および軸となる分岐線１４ａの組合わせによる複数本の分岐線と各１本の分岐線１４との間の２ケ所に、複数本の第２ブラシ素材３ｂを直交するように挿し込んで、各分岐線１４，１４ａの間に２種類の第１，第２ブラシ素材３ａ，３ｂを井桁状に並べる配置関係にする。そして、軸となる分岐線１４ａを中心にして、分岐線部分１５に複数本のブラシ素材３ａを直交するように装着して捻り込むことにより、分岐線１４ａを軸として各分岐線１４を巻き付かせ、分岐線部分１５にブラシ素材３ａを螺旋状に配列させて捻りブラシ４１を形成することができる。
【００４１】
図１０（ａ），（ｂ）は金属板を打ち抜いて形成した金属線材の概略斜視図であり、（ａ），（ｂ）は分岐線の数が異なるがその他の構成は同じである。
【００４２】
図１０（ａ）において、金属線材３２は、根元から途中の位置ａ４までの部分は長尺な板状の操作用の取っ手３２ａとなっており、途中の位置ａ４から細幅の金属板棒からなる３本の分岐線３４が延在して、先端に３本の細幅の金属板棒からなる分岐線部分３５を設けている。また、図１０（ｂ）において、金属線材３７は、金属線材３２よりも分岐線３４を１本多く途中の位置ａ４から分岐させたものである。
【００４３】
前記した実施例１〜７においては、金属線材が金属線である金属線材２，１２を使用した捻りブラシについて説明したが、金属線材が金属板を打ち抜いて形成した金属板棒である金属線材３２を使用して捻りブラシを形成することができる。
【００４４】
例えば、金属線材２の代わりに金属線材３２を使用して、実施例１〜３と同様の捻りブラシを、同様の方法で形成することができるし、また、金属線材１２の代わりに金属線材３７を使用して、実施例４〜７と同様の捻りブラシを、同様の方法で形成することができる。
【００４５】
以上、本発明を図面の実施例に基づいて説明したが、本発明は上記した実施例に限定されるものではなく、特許請求の範囲に記載の構成を変更しない限りどのようにでも実施することができる。
【図面の簡単な説明】
【００４６】
【図１】（ａ）は本発明の実施例１に係る捻りブラシの斜視図、（ｂ）は（ａ）の捻り成形する前の金属線材とブラシ素材の斜視図、（ｃ）は金属線材の斜視図、（ｄ）は、金属線材とブラシ素材のＡＡ線での断面図である。
【図２】（ａ）は、本発明の実施例２に係る捻りブラシの斜視図、（ｂ）は金属線材の各分岐線とブラシ素材との配置関係を示す概略図である。
【図３】（ａ）は、本発明の実施例２に係る捻りブラシの斜視図、（ｂ）は金属線材の各分岐線とブラシ素材との配置関係を示す概略図である。
【図４】（ａ）は本発明の実施例４に係る捻りブラシの斜視図、（ｂ）は（ａ）の捻り成形する前の金属線材とブラシ素材の斜視図、（ｃ）は金属線材の斜視図、（ｄ）は、金属線材とブラシ素材のＢＢ線での配置関係を示す概略図、（ｅ）は、金属線材とブラシ素材との配置関係を示す概略図である。
【図５】（ａ）は本発明の実施例５に係る捻りブラシの斜視図、（ｂ）は金属線材１２の各分岐線１４と２種類の第１，第４ブラシ素材３ａ，３ｄとの配置関係を示す概略図である。
【図６】（ａ）は本発明の実施例６に係る捻りブラシの斜視図、（ｂ）は金属線材１２の各分岐線１４とブラシ素材３ａとの配置関係を示す概略図である。
【図７】本発明の実施例７に係る捻りブラシの斜視図である。
【図８】（ａ）は４本の分岐線１４の中心に軸となる１本の分岐線１４ａを設けた金属線材の斜視図、（ｂ），（ｃ）は（ａ）に示した金属線材の各分岐線とブラシ素材との配置関係を示す概略図である。
【図９】（ａ）は４本の分岐線１４の中心に軸となる２本の分岐線１４ａを設けた金属線材の斜視図、（ｂ），（ｃ）は（ａ）に示した金属線材の各分岐線とブラシ素材との配置関係を示す概略図である。
【図１０】（ａ），（ｂ）は金属板を打ち抜いて形成した金属線材の概略斜視図である。
【符号の説明】
【００４７】
１，２１，３１，４１，５１，６１  捻りブラシ
２，１２，２２，３２，３７  金属線材
２ａ，１２ａ，２２ａ，３２ａ  取っ手
３ａ，３ｂ，３ｃ，３ｄ，３ｅ  ブラシ素材
４，１４，３４  分岐線
１４ａ  軸となる分岐線
１６  捻り部
５１ａ，６１ａ  短軸の捻りブラシ
６１ｂ  長軸の捻りブラシ
ｍ  金属製パウダー
ｎ  ダイヤモンドパウダー
【図１】
2007167362.tif 000003
【図２】
2007167362.tif 000004
【図３】
2007167362.tif 000005
【図４】
2007167362.tif 000006
【図５】
2007167362.tif 000007
【図６】
2007167362.tif 000008
【図７】
2007167362.tif 000009
【図８】
2007167362.tif 000010
【図９】
2007167362.tif 000011
【図１０】
2007167362.tif 000012